(57)【要約】【課題】手摺りブラケットの全体を覆うことにより、怪我に対して十分に安全を確保することができ、しかも、取り付けが簡単で、手摺り施工の仕上がり形態の向上が図れる手摺りブラケットのカバーを提供する。【解決手段】手摺りブラケット４の固定片５の壁面Ａへの取り付け面を除く外面と連結片６の全面を覆うための合成樹脂製のカバー１１であり、このカバー１１が、手摺りブラケット４の固定片５と連結片６に対して両側から外嵌する一対のカバー単体１２、１２による二つ割り構造となり、両カバー単体１２、１２の対向縁を手摺りブラケット４への外嵌状態で内外に嵌り合う嵌合縁１３に形成し、この嵌合縁１３に両カバー単体を結合する一対の係止手段１４が設けてある。【選択図】　図２
2004143831.tif 000002
【特許請求の範囲】
【請求項１】
壁面への固定片と、この固定片の上端から連なって壁面と反対側に延びる連結片と、上記連結片の端部から上向きに延びる手摺り笠木の支持片とを備えた手摺りブラケットに対して、固定片の壁面への取り付け面を除く外面と連結片の全面を覆うためのカバーであり、このカバーが、手摺りブラケットの固定片と連結片に対して両側から外嵌する一対のカバー単体による二つ割り構造となり、両カバー単体の対向縁をブラケットへの外嵌状態で内外に嵌り合う嵌合縁に形成し、この嵌合縁に両カバー単体を結合する一対の係止手段を設けた手摺りブラケットのカバー。
【請求項２】
上記一対のカバー単体が、ブラケットの固定片と連結片の側面を側面形状に沿って一体的に覆う側板と、この側板の上縁から連なり、固定片の上端から連結片の上面を一体的に覆う上板と、上記側板の下縁から連なり、固定片の下端から固定片の前面及び連結片の下面を一体的に覆う下板とからなり、両カバー単体の嵌合縁が、一方カバー単体の上板と下板の端縁にそれぞれ設けた内側嵌合突条と、他方カバー単体の上板と下板の端縁にそれぞれ設けた外側嵌合突条で形成され、上記係止手段が、内側嵌合突条と外側嵌合突条の嵌合面の一方に設けた係止突部と、同他方に設けた係止凹部とで形成されている請求項１に記載の手摺りブラケットのカバー。
【発明の詳細な説明】
【０００１】
【発明の属する技術分野】
この発明は、階段等の壁面に手摺りを取り付けるブラケットの外面を覆い、美観の向上と同時に、ブラケットへの接触による怪我等の発生を防ぐためのカバーに関する。
【０００２】
【従来の技術】
階段等の昇降時の安全を確保するため、階段の壁面に手摺りを取り付けることが行われている。
【０００３】
階段用の手摺りとしては、金属パイプ製や木製以外に、金属製芯材の外側に欠円形の合成樹脂製笠木を取り付けた構造の手摺りが数多く採用されている。
【０００４】
このような手摺りの壁面への取り付け構造は、壁面への固定片と、この固定片の上端から連なって壁面と反対側に延びる連結片と、上記連結片の端部から上向きに延びる手摺り笠木の支持片とを備えた金属製の手摺りブラケットが使用される。
【０００５】
上記手摺りブラケットを用いて手摺りを取り付けるには、固定片を壁面にボルトを用いて固定することによって複数のブラケットを壁面に取り付け、各ブラケットの支持片に上端から金属製芯材の下面開放状となる溝部を外嵌し、この金属製芯材と支持片をビスで結合した後、金属製芯材に笠木を外嵌するものであり、手摺りブラケットは手摺りの取り付け状態で、固定片と連結片が手摺りの下部に露出した状態になり、固定片を壁面に固定するボルトの頭部も露見する。
【０００６】
上記のように、手摺りの下部に手摺りブラケットの固定片と連結片及びボルトの頭部が露出していると、手摺り取り付け部分の仕上がり形態が不体裁になると共に、階段を昇降する人の手等が手摺りブラケットに当ると怪我をすることになる。
【０００７】
このため、壁面に取り付けた手摺りブラケットを、合成樹脂製のカバーで覆うようにすることが、例えば、特許第３０５９３１５号によって提案されている。
【０００８】
上記の合成樹脂製カバーは、連結片の下方領域から固定片の前面を覆うように形成され、このカバーに設けたフック部を手摺りブラケットの係止部に弾発係止し、カバーに形成された一対の挟持壁でブラケットを両側から挟み付ける構造になっている。
【０００９】
【発明が解決しようとする課題】
ところで、上記のようなカバーは、手摺りブラケットの固定片とボルトの頭部を覆うことができるが、連結片の一部が露出した仕上がりになるため、階段を昇降する人の手等が金属製の手摺りブラケットに接触する場合があり、怪我に対して十分に安全を確保することができないという問題がある。
【００１０】
また、カバーは、手摺りブラケットの一部を覆うだけであるので、手摺りブラケットが露見し、カバーを取り付けた状態での手摺り施工の仕上がり形態が不体裁である。
【００１１】
そこで、この発明の課題は、手摺りブラケットの全体を覆うことにより、怪我に対して十分に安全を確保することができ、しかも、手摺り施工の仕上がり形態の向上が図れる手摺りブラケットのカバーを提供することにある。
【００１２】
【課題を解決するための手段】
上記のような課題を解決するため、この発明は、壁面への固定片と、この固定片の上端から連なって壁面と反対側に延びる連結片と、上記連結片の端部から上向きに延びる手摺り笠木の支持片とを備えた手摺りブラケットに対して、固定片の壁面への取り付け面を除く外面と連結片の全面を覆うためのカバーであり、このカバーが、手摺りブラケットの固定片と連結片に対して両側から外嵌する一対のカバー単体による二つ割り構造となり、両カバー単体の対向縁をブラケットへの外嵌状態で内外に嵌り合う嵌合縁に形成し、この嵌合縁に両カバー単体を結合する一対の係止手段を設けた構成を採用したものである。
【００１３】
上記一対のカバー単体が、ブラケットの固定片と連結片の側面を側面形状に沿って一体的に覆う側板と、この側板の上縁から連なり、固定片の上端から連結片の上面を一体的に覆う上板と、上記側板の下縁から連なり、固定片の下端から固定片の前面及び連結片の下面を一体的に覆う下板とからなり、両カバー単体の嵌合縁が、一方カバー単体の上板と下板の端縁にそれぞれ設けた内側嵌合突条と、他方カバー単体の上板と下板の端縁にそれぞれ設けた外側嵌合突条で形成され、上記係止手段が、内側嵌合突条と外側嵌合突条の嵌合面の一方に設けた係止突部と、同他方に設けた係止凹部とで形成されている構造とすることができる。
【００１４】
ここで、一対のカバー単体は、合成樹脂を用いて略左右対称の二つ割りに形成され、手摺りブラケットに両側から外嵌した状態で、係止突部と係止凹部を弾力的に係合させるようになっている。
【００１５】
また、両カバー単体は、上板と下板の壁面側端部に、互いに内側へ向けての屈曲片を設け、手摺りブラケットの固定片における壁面への取り付け面の上下に、上記屈曲片を挿入するための凹欠部を設けておき、手摺りブラケットへの固定と位置決めが確実に行えるようにしている。
【００１６】
更に、手摺りブラケットの支持片における下端部には、手摺りブラケットに外嵌した両カバー単体の支持片の下端部に臨む端部を覆う突条を設けておき、両カバー単体の端部を隠蔽することにより、手摺り施工の仕上がり形態のより一層の向上を図るようにしている。
【００１７】
【発明の実施の形態】
以下、この発明の実施の形態を図示例と共に説明する。
【００１８】
図６のように、階段用の手摺り１は、アルミ等を用いて押し出し成形された金属製芯材２の外側に、欠円形の合成樹脂製笠木３を外嵌状に係止して取り付けた構造を有し、この手摺り１を壁面へ取り付けるための金属製の手摺りブラケット４は、上下に長い帯板状であり、図４乃至図６のように、壁面Ａへの固定片５と、この固定片５の上端から連なって壁面Ａと反対側へ水平に突出した後、途中から斜め上方に延びる連結片６と、上記連結片６の上端部から上向きに延びる笠木支持片７とからなり、上記固定片５には、手摺りブラケット４を壁面Ａに固定するボルト８の挿通孔９が設けられている。
【００１９】
この手摺りブラケット４を用いて階段用の手摺り１を壁面に取り付けるには、固定片５を壁面Ａに重ね、挿通孔９から壁に向けてボルト８をねじ込むことで、壁面Ａに複数の手摺りブラケット４を固定し、次に、各手摺りブラケット４の支持片７に上端から金属製芯材２の下面開放状となる溝部を外嵌し、この金属製芯材２と支持片７をビス１０で結合することによって、各手摺りブラケット４間に金属製芯材２をかけわたし、その後、金属製芯材２に笠木３を外嵌することによって、手摺り１の取り付けが行われる。
【００２０】
上記手摺りブラケット４は、壁面Ａに手摺り１を取り付けた状態で、手摺り１の下部において固定片５と連結片６、ボルト８の頭部及び支持片７の下部が露見することになる。
【００２１】
この発明のカバー１１は、上記手摺りブラケット４の上記露見する部分を覆うためのものであり、図示のように、このカバー１１は、手摺りブラケット４の固定片５と連結片６及び支持片７の下部に対して両側から外嵌する一対のカバー単体１２、１２からなる二つ割り構造となり、両カバー単体１２、１２の対向縁を手摺りブラケット４への外嵌状態で内外に嵌り合う嵌合縁１３に形成し、この嵌合縁１３に両カバー単体１２、１２を結合する一対の係止手段１４が設けられている。
【００２２】
上記一対のカバー単体１２、１２は、手摺りブラケット４の固定片５と連結片６及び支持片７の下部における側面を、これらの側面形状に沿って一体的に覆うことができるよう、上下寸法が壁面側で大きく支持片側で小さくなるような形状の側板１５と、この側板１５の上縁から連なり、固定片５の上端から連結片６の上面及び支持片７の下端後面を一体的に覆う上板１６と、上記側板１５の下縁から連なり、固定片５の下端から固定片５の前面及び連結片６の下面及び支持片７の下端前面を一体的に覆う下板１７とからなり、この上板１６及び下板１７の端縁に嵌合縁１３が設けられている。
【００２３】
上記両カバー単体１２、１２の嵌合縁１３は、一方カバー単体１２の上板１６と下板１７の端縁にそれぞれ設けた内側嵌合突条１３ａと、他方カバー単体１２の上板１６と下板１７の端縁にそれぞれ設けた外側嵌合突条１３ｂで形成され、両カバー単体１２、１２を手摺りブラケット４に両側から外嵌した状態で、内側嵌合突条１３ａと外側嵌合突条１３ｂが互に嵌まり合うことになる。
【００２４】
上記係止手段１４は、内側嵌合突条１３ａと外側嵌合突条１３ｂの嵌合面の一方に設けた所要数の係止突部１４ａと、同他方に設けた所要数の係止凹部１４ｂとで形成されている。
【００２５】
上記した一対のカバー単体１２、１２は、手摺りブラケット４に両側から外嵌した時、連結片６の先端側から支持片７における下端部を包持するよう、ＡＢＳ等の合成樹脂を用いて略左右対称の二つ割りに形成され、合成樹脂の弾性を利用して、係止突部１４ａと係止凹部１４ｂを弾力的に係合させることができるようになっている。
【００２６】
また、両カバー単体１２、１２は、上板１６と下板１７の壁面側端部に、互いに内側へ向けての屈曲片１８、１９を設け、上記手摺りブラケット４の固定片５における壁面Ａへの取り付け面の上下に、上記屈曲片１８、１９を挿入するための凹欠部２０、２１を設けておき、手摺りブラケット４に両側から外嵌した状態で、手摺りブラケット４への固定と位置決めが確実に行えるようにしている。
【００２７】
更に、手摺りブラケット４の支持片７における下端部の前後面には、手摺りブラケット４に外嵌した両カバー単体１２、１２の支持片７の下端部に臨む端部を覆う突条２２を設けておき、両カバー単体１２、１２の上端部を隠蔽するようにしている。
【００２８】
この発明のカバーは上記のような構成であり、手摺りブラケット４を用いて階段用の手摺り１を壁面Ａに取り付けた後、一対のカバー単体１２、１２を手摺りブラケット４の両側に臨ませ、屈曲片１８、１９を凹欠部２０、２１に挿入した状態で、両カバー単体１２、１２をそれぞれ手摺りブラケット４に両側から外嵌して接近させ、手摺りブラケット４の幅方向の中央位置において、両カバー単体１２、１２の内側嵌合突条１３ａと外側嵌合突条１３ｂを嵌め合わせて押し込むと、対応する係止突部１４ａと係止凹部１４ｂが弾力的に係合し、両カバー単体１２、１２は結合してカバー１１の組み立て状態となる。
【００２９】
上記カバー１１は、手摺りブラケット４の固定片５と連結片６及び支持片７の下部に対して全体を覆うことになり、しかも、上板１６が連結片６の上面に重なり、このカバー１１は、連結片６の先端側から支持片７における下端部を包持すると共に、屈曲片１８、１９が凹欠部２０、２１に挿入されているので、手摺りブラケット４に対して固定化することができる。
【００３０】
このように、カバー１１は、手摺りブラケット４の固定片５と連結片６及び支持片７の下部を覆うことにより、手摺りブラケット４の露見部分が支持片７の上部だけの僅かな部分となり、カバー１１を取り付けた状態での手摺り施工の形態が体裁よく仕上がることになる。
【００３１】
また、手摺りブラケット４の大半を合成樹脂製のカバー１１で覆うので、階段を昇降する人の手等が金属製の手摺りブラケット４に接触するのを防ぐことができ、怪我に対して十分に安全を確保することができる。
【００３２】
【発明の効果】
以上のように、この発明によると、手摺りブラケットの大半を二つ割り構造となる一対のカバー単体で覆うようにしたので、カバーを取り付けた状態での手摺り施工の形態が体裁よく仕上がると共に、両カバー単体を両側から嵌め合わせるだけであるので、取り付け作業も簡単で能率よく行える。
【００３３】
また、手摺りブラケットの大半をカバーで覆うことで、階段を昇降する人の手等が金属製の手摺りブラケットに接触するのを防ぐことができ、怪我に対して十分に安全を確保することができる。
【００３４】
更に、手摺りブラケットに対してカバーは、両側からの嵌め合わせによって取り付けるだけであるので、カバーが破損した場合の取り換えが簡単に行える。
【図面の簡単な説明】
【図１】この発明のカバーを示す結合状態の斜視図
【図２】この発明のカバーを示す分解状態の斜視図
【図３】（Ａ）はこの発明のカバーを示す結合状態の縦断正面図、（Ｂ）は同縦断側面図、（Ｃ）は同横断平面図
【図４】手摺りを支持する手摺りブラケットにこの発明のカバーを取り付けた状態の斜視図
【図５】手摺りを支持する手摺りブラケットにこの発明のカバーを取り付ける途中を示す分解状態の斜視図
【図６】手摺りを支持する手摺りブラケットにこの発明のカバーを取り付けた縦断側面図
【符号の説明】
１　　手摺り
２　　金属製芯材
３　　合成樹脂製笠木
４　　ブラケット
５　　固定片
６　　連結片
７　　笠木支持片
８　　ボルト
９　　挿通孔
１０　ビス
１１　カバー
１２　カバー単体
１３　嵌合縁
１４　係止手段
１５　側板
１６　上板
１７　下板
１８　屈曲片
１９　屈曲片
２０　凹欠部
２１　凹欠部
２２　突条
【図１】
2004143831.tif 000003
【図２】
2004143831.tif 000004
【図３】
2004143831.tif 000005
【図４】
2004143831.tif 000006
【図５】
2004143831.tif 000007
【図６】
2004143831.tif 000008